(57)【特許請求の範囲】
【請求項１】
負荷時タップ切換器付変圧器の操作入力を受け付ける操作部と、
通信を介して取得する前記負荷時タップ切換器付変圧器のタップ状態情報、および前記操作部への操作入力に基づき、タップ切換操作を行える状況かを判断する判断部と、
前記操作部への操作入力から一定時間が経過しており前記負荷時タップ切換器付変圧器がタップ切換操作を行える状況の場合、タップ操作可能であることを表示する、あるいは前記負荷時タップ切換器付変圧器がタップ切換操作の行えない状況の場合、タップ操作禁止であることを表示する表示部と、を備える監視制御システム。
【請求項２】
前記判断部は、前記タップ状態情報がタップ切換中あるいはタップ切換渋滞発生中のいずれかの場合、前記負荷時タップ切換器付変圧器はタップ切換操作を行えない状況だと判断する請求項１に記載の監視制御システム。
【請求項３】
前記負荷時タップ切換器付変圧器のタップ切換回数を積算するタップ切換回数積算部を備え、
前記表示部は、前記タップ切換回数を表示する請求項１または２に記載の監視制御システム。
【請求項４】
負荷時タップ切換器付変圧器の操作入力を受け付ける操作部と、
通信を介して取得する前記負荷時タップ切換器付変圧器の状態、および前記操作部への操作入力に基づき、前記操作部への操作入力から一定時間が経過しており前記負荷時タップ切換器付変圧器がタップ切換操作を行える状況かを判断し、前記負荷時タップ切換器付変圧器がタップ切換操作を行える状況の場合、前記操作部に入力される操作入力に基づいて前記負荷時タップ切換器に切換指令を出力する判断部と、
を備える監視制御システム。
【請求項５】
前記負荷時タップ切換器付変圧器の操作入力を受け付ける第二の操作部と、
通信を介して前記負荷時タップ切換器付変圧器の状態を取得し、前記負荷時タップ切換器付変圧器がタップ切換操作を行える状況かを判断し、前記負荷時タップ切換器付変圧器がタップ切換操作を行える状況の場合、前記第二の操作部に入力される操作入力に基づいて前記負荷時タップ切換器に切換指令を出力する第二の判断部と、を具備する負荷時タップ切換器付変圧器専用装置を備える請求項４に記載の監視制御システム。
【請求項６】
前記判断部は、前記第二の判断部の状態情報に基づいて、前記第二の判断部が前記負荷時タップ切換器付変圧器を操作するのに不都合が生じると判断した場合、操作を前記操作部に自動で切り換える請求項５に記載の監視制御システム。
【請求項７】
前記第二の判断部は、前記判断部の状態情報に基づいて、前記判断部が前記負荷時タップ切換器付変圧器を操作するのに不都合が生じると判断した場合、操作を前記第二の操作部に自動で切り換える請求項５に記載の監視制御システム。
【請求項８】
前記判断部または前記第二の判断部は、前記負荷時タップ切換器付変圧器のタップ切換を自動で行う装置と併用する際、前記装置で自動制御している場合、前記タップ切換操作を行えない状況だと判断し、前記操作部または前記第二の操作部に入力される操作入力を無効にする請求項５に記載の監視制御システム。
【請求項９】
前記判断部または前記第二の判断部は、二台構成の前記負荷時タップ切換器のタップ切換を同時に行う際、前記二台構成の負荷時タップ切換器のタップ位置が不一致である場合、前記タップ切換操作を行えない状況だと判断し、前記操作部または前記第二の操作部に入力される操作入力を無効にする請求項５に記載の監視制御システム。
【請求項１０】
負荷時タップ切換器付変圧器の操作入力を受け付ける操作部と、
前記負荷時タップ切換器付変圧器の状態および前記操作部への操作入力により、前記操作部への操作入力から一定時間が経過しており前記負荷時タップ切換器付変圧器がタップ切換操作を行える状況かを判断した判断結果に基づいて、前記負荷時タップ切換器付変圧器がタップ切換操作を行える状況の場合タップ操作可能であること、または前記負荷時タップ切換器付変圧器がタップ切換操作の行えない状況の場合タップ操作禁止であることを表示する、表示部を有する操作監視端末。
【請求項１１】
負荷時タップ切換器付変圧器の操作入力を受け付ける操作部と、
前記負荷時タップ切換器付変圧器の状態および前記操作部への操作入力により、前記操作部への操作入力から一定時間が経過しており前記負荷時タップ切換器付変圧器がタップ切換操作を行える状況かを判断した判断結果に基づいて、前記負荷時タップ切換器付変圧器がタップ切換操作を行える状況の場合前記操作部に入力される操作入力に基づいて前記負荷時タップ切換器に切換指令を出力する操作監視端末。
【発明の詳細な説明】
【技術分野】
【０００１】
本発明の実施形態は、監視制御システムおよび操作監視端末に関する。
【背景技術】
【０００２】
従来、変圧器に設置される負荷時タップ切換器（以下、ＬＴＣという）のタップを遠隔より制御する場合、操作員によるタップ切換操作と、実際にタップが切り換わる時間差により、操作員が現在のタップの位置や状況を正しく認識することができなかった。そのため、操作員が連続してタップ切換操作を行ってしまうことで、切換開閉器に負担を掛け、ＬＴＣを故障させるリスクが内在していた。
【先行技術文献】
【特許文献】
【０００３】
【特許文献１】特開２００３−８７９７４号公報
【発明の概要】
【発明が解決しようとする課題】
【０００４】
本発明の実施形態が解決しようとする課題は、遠隔からタップ切換操作を行う操作員に対し、タップ切換動作が可能であるかを操作監視画面上に表示する監視制御システムおよび操作監視端末を提供することである。
【課題を解決するための手段】
【０００５】
実施形態の監視制御システムは、  負荷時タップ切換器付変圧器の操作入力を受け付ける操作部と、通信を介して取得する前記負荷時タップ切換器付変圧器のタップ状態情報、および前記操作部への操作入力に基づき、タップ切換操作を行える状況かを判断する判断部と、前記操作部への操作入力から一定時間が経過しており前記負荷時タップ切換器付変圧器がタップ切換操作を行える状況の場合、タップ操作可能であることを表示する、あるいは前記負荷時タップ切換器付変圧器がタップ切換操作の行えない状況の場合、タップ操作禁止であることを表示する表示部と、を備える。
【図面の簡単な説明】
【０００６】
【図１】本発明の第１の実施形態に係る監視制御システムを含む装置構成図である。
【図２】本発明の第１の実施形態に係る操作監視端末の機能構成を示す図である。
【図３】本発明の第１の実施形態に係る制御親局の機能構成を示す図である。
【図４】本発明の第１の実施形態に係る制御子局の機能構成を示す図である。
【図５】本発明の第１の実施形態に係る制御機器（ＬＴＣ付変圧器）の機能構成を示す図である。
【図６】本発明の第１の実施形態のタップ切換操作を示すフローチャートである。
【図７】本発明の第２の実施形態に係る監視制御システムを含む装置構成図である。
【図８】本発明の第２の実施形態に係るＬＴＣ制御専用操作端末の機能構成を示す図である。
【図９】本発明の第２の実施形態に係るＬＴＣ制御専用コントローラの機能構成を示す図である。
【図１０】本発明の第２の実施形態に係るタップ切換操作を示すフローチャートである。
【図１１】本発明の第３の実施形態に係るタップ切換操作可能表示のフローチャートである。
【図１２】本発明の第３の実施形態に係る１系ＬＴＣタップ切換操作表示画面を示す図である。
【発明を実施するための形態】
【０００７】
以下、図面を参照して発明を実施するための実施形態について説明する。
（第１の実施形態）
（構成）
図１は、第１の実施形態にかかる監視制御システム１を含む装置構成図である。第１の実施形態にかかる監視制御システム１は、操作監視端末１１、制御親局２１および制御子局３１〜３３とで構成され、夫々が通信線によって接続されている。
【０００８】
操作監視端末１１は、操作員によるＬＴＣ操作入力を受け付ける端末であり、入力されたＬＴＣ操作によってＬＴＣのタップが制御される。
【０００９】
制御親局２１は、操作監視端末１１と制御子局３１〜３３と通信し、各種情報の送受信を行う。
【００１０】
制御子局３１は、制御機器（ＬＴＣ付変圧器）４１の監視制御を行う。ＬＴＣ付変圧器とは、負荷時タップ切換器付変圧器のことである。制御子局３２、制御子局３３は、ＬＴＣに関連しない設備の監視制御を行うものとする。
【００１１】
操作監視端末１１と制御親局２１とをつなぐ通信線は伝送、制御親局２１と制御子局３１〜３３とをつなぐ通信線は伝送、制御子局３１〜３３と制御機器４１〜４３とをそれぞれつなぐ通信線は接点である。
【００１２】
図２は、操作監視端末１１の機能構成を示す図である。
【００１３】
操作監視端末１１は、操作員に対してＬＴＣのタップ位置情報、タップ切換中情報、タップ操作の可否情報、故障情報等を表示する表示部１１２と、操作員によるＬＴＣタップ切換操作指令を受け付ける操作部１１３と、ＬＴＣタップ切換操作指令を制御親局２１へ送信する通信部１１５とを有する。また、制御親局２１および制御子局３２、３３を介して制御機器２、３の各種情報を取得する。
【００１４】
また、ＬＴＣタップ位置の切換履歴を保存し、印字する履歴保存・印字機能１１４を有する。履歴保存・印字機能１１４は必ずしもシステムに必要なものではない。
【００１５】
図３は、制御親局２１の機能構成を示す図である。
【００１６】
制御親局２１は、前記ＬＴＣタップ切換操作指令を信号処理し、制御子局３１〜３３のどれに送信すべきかを判断する信号処理・プロセス管理部２１２と、判断した結果である指令を制御子局３１へ送信する制御子局との通信部２１４とを有する。
【００１７】
また、制御親局２１は、制御機器側でタップ切換が行われた際にこれを制御子局経由で検知し、内部に保存された切換回数の積算値に加算するタップ切換回数積算部２１３と、加算した積算値を操作監視端末１１に送信する監視端末との通信部２１１とを有する。タップ切換回数積算部２１３は必ずしもシステムに必要なものではない。
【００１８】
図４は、制御子局３１の機能構成を示す図である。
制御子局３１は、前記ＬＴＣタップ切換操作指令を受信し、接点信号に変換する伝送接点変換部３１２と、制御機器（ＬＴＣ付変圧器）４１に接点する通信部３１５とを有する。
【００１９】
また、制御子局３１は、タップ位置や故障等の接点の情報を伝送変換し制御親局へ送信する接点伝送変換部３１４と、タップ位置や故障等のタップ状態情報を取得し、タップ操作が行える状況かを判断する判断部３１３とを有する。接点伝送変換部３１４において、変圧器の二次電圧などアナログ信号は、ディジタル値に変換して送信する。
【００２０】
図５は、制御機器（ＬＴＣ付変圧器）４１の機能構成を示す図である。
制御機器（ＬＴＣ付変圧器）４１は、制御子局からの接点信号を受信すると、専用の電動機を動作させて、タップ切換動作を行うタップ切換動作部４１４と、変更後のタップ位置情報を接点信号に変換させる機器動作接点変換部４１５と、前記接点信号を制御子局へ送信する通信部４１３とを有する。
【００２１】
（作用）
図６は、タップ切換操作のフローチャートである。
【００２２】
制御機器（ＬＴＣ付変圧器）４１は、１系ＬＴＣ付変圧器４１１と２系ＬＴＣ付変圧器４１２を備え、タップ切換動作は、「１系単独」、「２系単独」あるいは「並列」で行える。「並列」の場合、１系ＬＴＣ付変圧器４１１と２系ＬＴＣ付変圧器４１２のタップが一致しているとき、両方のタップ切換動作を、どちらか一方のタップ切換操作で行う。
【００２３】
（１系単独タップ切換操作）
まず、１系タップ切換操作を操作部１１３が受ける（Ｓ１１）と、ＴＲ運転モード（Ｓ２１）によってその後のフローが異なる。ＴＲ運転モード（Ｓ２１）は、あらかじめ設定しておくものである。ＴＲとは、変圧器のことを意味する。
【００２４】
ＴＲ運転モード（Ｓ２１）が「単独」の場合、判断部３１３は、１系制御モードが手動かを判断する（Ｓ４１）。自動制御モードの場合は、手動制御モードに切り替えてからタップ切換操作を行わせるためである。自動制御モードとは、例えば自動電圧調整器のようなＬＴＣタップ切換を自動で行う装置と併用する際、その自動で行う装置で制御をするモードを指す。１系制御モードが手動ではない場合（Ｓ４１でＮｏ）、制御機器に対しての切換指令は出力されない。つまり、１系タップ切換動作は起こらない。
【００２５】
１系制御モードが手動である場合（Ｓ４１でＹｅｓ）、判断部３１３は、１系タップ切換中ではないかを判断する（Ｓ５１）。１系タップ切換中の場合（Ｓ５１でＮｏ）、制御機器に対しての切換指令は出力されない。
【００２６】
１系タップ切換中ではない場合（Ｓ５１でＹｅｓ）、判断部３１３は、１系タップ切換が渋滞中ではないかを判断する（Ｓ６１）。タップ切換が渋滞中とは、受けたタップ切換操作が完了していない状態を意味する。１系タップ切換が渋滞中の場合（Ｓ６１でＮｏ）、制御機器に対しての切換指令は出力されない。
【００２７】
１系タップ切換が渋滞中ではない場合（Ｓ６１でＹｅｓ）、判断部３１３は、前回の１系タップ切換から一定時間が経過したかを判断する（Ｓ７１）。一定時間の設定は、ユーザが選択できる。前回の１系タップ切換から一定時間が経過していない場合（Ｓ７１でＮｏ）、制御機器に対しての切換指令は出力されない。
【００２８】
前回の１系タップ切換から一定時間が経過した場合（Ｓ７１でＹｅｓ）、判断部３１３は、通信部３１５を介して制御機器（ＬＴＣ付変圧器）４１に対してタップ切換指令を出力し、タップ切換動作部４１４は、１系ＬＴＣ付変圧器４１１のタップ切換動作を開始する（Ｓ８１）。
【００２９】
その後、タップ切換回数積算部２１３が１系ＬＴＣタップ切換回数を積算し、表示部１１２が表示させる（Ｓ９１）。ただし、タップ切換回数の積算・表示は必ずしもシステムに必要なものではない。
【００３０】
（２系単独タップ切換操作）
１系単独タップ切換操作と同様に、２系単独タップ切換操作を行う。
【００３１】
まず、２系タップ切換操作を操作部１１３が受ける（Ｓ１２）と、ＴＲ運転モード（Ｓ２２）によってその後のフローが異なる。なお、ＴＲ運転モード（Ｓ２２）は、あらかじめ設定しておくものである。
【００３２】
ＴＲ運転モード（Ｓ２２）が「単独」の場合、判断部３１３は、２系制御モードが手動かを判断する（Ｓ４２）。２系制御モードが手動ではない場合（Ｓ４２でＮｏ）、制御機器に対しての切換指令は出力されない。
【００３３】
２系制御モードが手動である場合（Ｓ４２でＹｅｓ）、判断部３１３は、２系タップ切換中ではないかを判断する（Ｓ５２）。２系タップ切換中の場合（Ｓ５２でＮｏ）、制御機器に対しての切換指令は出力されない。
【００３４】
２系タップ切換中ではない場合（Ｓ５２でＹｅｓ）、判断部３１３は、２系タップ切換が渋滞中ではないかを判断する（Ｓ６２）。２系タップ切換が渋滞中の場合（Ｓ６２でＮｏ）、制御機器に対しての切換指令は出力されない。
【００３５】
２系タップ切換が渋滞中ではない場合（Ｓ６２でＹｅｓ）、判断部３１３は、前回の２系タップ切換から一定時間が経過したかを判断する（Ｓ７２）。一定時間が経過していない場合（Ｓ７２でＮｏ）、制御機器に対しての切換指令は出力されない。
【００３６】
前回の２系タップ切換から一定時間が経過した場合（Ｓ７２でＹｅｓ）、判断部３１３は、通信部３１５を介して制御機器（ＬＴＣ付変圧器）４１に対してタップ切換指令を出力し、タップ切換動作部４１２は、２系ＬＴＣ付変圧器４１２のタップ切換動作を開始する（Ｓ８２）。
【００３７】
その後、タップ切換回数積算部２１３が２系ＬＴＣタップ切換回数を積算し、表示部１１２が表示させる（Ｓ９２）。タップ切換回数の積算・表示は必ずしもシステムに必要なものではない。
【００３８】
（並列タップ切換操作）
並列タップ切換操作とは、１系変圧器と２系変圧器のタップが一致しているとき、両方のタップ切換動作を、どちらか一方のタップ切換操作で行うことである。
【００３９】
並列タップ切換操作を行うときは、操作部１１３が１系タップ切換操作を受け（Ｓ１１）、ＴＲ運転モード（Ｓ２１）が「１系並列主」のとき、あるいは、２系タップ切換操作を受け（Ｓ１２）、ＴＲ運転モード（Ｓ２２）が「２系並列主」のときである。
【００４０】
そのとき判断部３１３は、１系LTC付変圧器と２系LTC付変圧器のタップが一致しているかを判断する（Ｓ３３）。タップが一致していない場合（Ｓ３３でＮｏ）、制御機器に対しての切換指令は出力されない。
【００４１】
タップが一致している場合（Ｓ３３でＹｅｓ）、判断部３１３は、１系、２系制御モードが手動かを判断する（Ｓ４３）。１系、２系制御モードがどちらか一方でも手動ではない場合（Ｓ４３でＮｏ）、制御機器に対しての切換指令は出力されない。
【００４２】
１系、２系制御モードがどちらも手動である場合（Ｓ４３でＹｅｓ）、判断部３１３は、１系、２系タップが切換中ではないかを判断する（Ｓ５３）。１系、２系タップのどちらか一方でも切換中の場合（Ｓ５３でＮｏ）、制御機器に対しての切換指令は出力されない。
【００４３】
１系、２系タップのどちらも切換中ではない場合（Ｓ５３でＹｅｓ）、判断部３１３は、１系、２系タップ切換が渋滞中ではないかを判断する（Ｓ６３）。１系、２系タップの切換がどちらか一方でも渋滞中の場合（Ｓ６３でＮｏ）、制御機器に対しての切換指令は出力されない。
【００４４】
１系、２系タップの切換がどちらも渋滞中ではない場合（Ｓ６３でＹｅｓ）、判断部３１３は、前回の１系または２系タップ切換から一定時間が経過したかを判断する（Ｓ７３）。一定時間が経過していない場合（Ｓ７３でＮｏ）、制御機器に対しての切換指令は出力されない。
【００４５】
前回の１系または２系タップ切換から一定時間が経過した場合（Ｓ７３でＹｅｓ）、判断部３１３は、通信部３１５を介して制御機器（ＬＴＣ付変圧器）４１に対してタップ切換指令を出力し、タップ切換動作部４１２は、ＬＴＣ付変圧器（１系）４１１とＬＴＣ付変圧器（２系）４１２のタップ切換動作を開始する（Ｓ８３）。
【００４６】
その後、タップ切換回数積算部２１３が１系と２系ＬＴＣタップ切換回数をそれぞれ積算し、表示部１１２が表示させる（Ｓ９３）。タップ切換回数の積算・表示は必ずしもシステムに必要なものではない。
【００４７】
以上のように、操作員によるタップ切換操作が行われても、種々の条件（Ｓ２１〜Ｓ７３）が揃わないと、制御機器に対しての切換指令は出力されない。
【００４８】
（効果）
操作員によるタップ切換操作が行われても、種々の条件が揃わないと制御機器に対しての切換指令は出力されないインタロックにより、連続してタップ切換操作を行えなくなるため、連続操作によるLTC付変圧器故障のリスクを低減させることが可能となる。また、遠隔操作員はＬＴＣタップ切換操作が正常に行われていることを確認できる。
【００４９】
なお、制御機器に対しての切換指令を出力するかの判断（Ｓ３３〜Ｓ７３）を行う判断部３１３は、図２では制御子局３１にあるが、制御親局２１や操作監視端末１１にあってもよい。
【００５０】
なお、本実施例は、制御親局と、複数または単一の制御子局が伝送で接続されたシステム構成全てに適用可能なもので、装置の台数や、伝送の種類に制約を受けるものではない。
【００５１】
（第２の実施形態）
（構成）
図７は、第２の実施形態に係る監視制御システム２を含む装置構成図である。
【００５２】
第１の実施形態の装置構成図である図１と、第２の実施形態の装置構成図である図７が異なる点は、ＬＴＣ制御専用操作端末５１とＬＴＣ制御専用コントローラ６１を付加した点であり、このＬＴＣ制御専用操作端末５１とＬＴＣ制御専用コントローラ６１以外は第１の実施形態と同じであるので、同一部分には同一符号を付して詳細な説明は省略する。
【００５３】
ＬＴＣ制御専用操作端末５１とＬＴＣ制御専用コントローラ６１は、ＬＴＣ制御専用の機器であり、制御機器（ＬＴＣ付変圧器）４１の近傍に設置し、タップ切換操作を行えるようにする。
【００５４】
第一の実施形態でタップ切換操作を行う端末である操作監視端末１１と制御親局２１と制御子局３１は、一般的に制御機器（ＬＴＣ付変圧器）４１から離れた場所に設置し、遠方からタップ切換操作を行えるようにする。
【００５５】
制御機器（ＬＴＣ付変圧器）４１の近傍で、遠方から操作するかまたは直接操作するかの使い分けを行う。遠方から操作するとは、操作監視端末１１からタップ切換操作をすることを意味する。直接操作するとは、ＬＴＣ制御専用操作端末５１からタップ切換操作をすることを意味する。操作場所切換用のスイッチは、制御機器（ＬＴＣ付変圧器）４１の近傍に設置する。
【００５６】
ここで、制御機器（ＬＴＣ付変圧器）４１への接続は、図７のように制御子局３１から制御機器（ＬＴＣ付変圧器）４１に接点で接続されるだけでなく、ＬＴＣ制御専用コントローラ６１から制御機器（ＬＴＣ付変圧器）４１に接点で接続される。
【００５７】
図８は、ＬＴＣ制御専用操作端末５１の機能構成を示す図である。ＬＴＣ制御専用操作端末５１は、操作監視端末１１と同様の機能を有するものとする。図２の操作監視端末１１の機能構成と同一部分には同一符号を付して詳細な説明は省略する。
【００５８】
第二の操作部１１６の機能は、操作部１１３と同様である。
【００５９】
図９は、ＬＴＣ制御専用コントローラ６１の機能構成を示す図である。ＬＴＣ制御専用コントローラ６１は、制御親局２１と制御子局３１の機能を有するものとする。図３の制御親局２１の機能構成、図４の制御子局３１の機能構成と同一部分には同一符号を付して詳細な説明は省略する。
【００６０】
第二の判断部３１６の機能は、判断部３１３と同様である。
【００６１】
（作用）
図１０は、タップ切換操作のフローチャートである。
【００６２】
第１の実施形態のタップ切換操作のフローチャートである図６と、第２の実施形態のタップ切換操作のフローチャートである図１０が異なる点は、Ｓ１１１〜Ｓ１２４を付加した点であり、これら以外は第１の実施形態と同じであるので、同一ステップには同一符号を付して詳細な説明は省略する。
【００６３】
Ｓ１１１〜Ｓ１２４は、１系タップ切換操作、２系タップ切換操作がそれぞれ操作監視端末１１で行われたか（以下「遠方」とする）、ＬＴＣ制御専用操作端末５１で行われたか（以下「直接」とする）を判断するステップである。
【００６４】
「遠方」で１系タップ切換操作が行われた場合（Ｓ１１１）、操作場所が遠方かを判断する（Ｓ１１３）。遠方の場合（Ｓ１１３でＹｅｓ）、「遠方」の状態を識別する。
【００６５】
同様に、「直接」で１系タップ切換操作が行われた場合（Ｓ１１２）、操作場所が直接かを判断する（Ｓ１１４）。直接の場合（Ｓ１１４でＹｅｓ）、「直接」の状態を識別する。
【００６６】
同様に、「遠方」で２系タップ切換操作が行われた場合（Ｓ１２１）、操作場所が遠方かを判断する（Ｓ１２３）。遠方の場合（Ｓ１２３でＹｅｓ）、「遠方」の状態を識別する。
【００６７】
同様に、「直接」で２系タップ切換操作が行われた場合（Ｓ１２２）、操作場所が直接かを判断する（Ｓ１２４）。直接の場合（Ｓ１２４でＹｅｓ）、「直接」の状態を識別する。
【００６８】
それぞれの場合で操作場所が異なると判断した場合（Ｓ１１３でＮｏ、Ｓ１１４でＮｏ、Ｓ１２３でＮｏ、Ｓ１２４でＮｏ）、制御機器に対しての切換指令は出力されない。
【００６９】
以上のように「遠方―直接」の状態を識別した後、「直接」の場合は、ＬＴＣ制御専用操作端末５１からの出力を可能とし、制御子局３１からの出力をブロックする。「遠方」の場合は、操作監視端末１１からの出力を可能とし、ＬＴＣ制御専用コントローラ６１からの出力をブロックする。
【００７０】
操作監視端末１１、制御親局２１、制御子局３１のいずれかがたとえば故障するなど、不都合が生じた際は、ＬＴＣ制御専用コントローラ６１がこれを検出し、操作場所を「遠方」から「直接」に自動で切り換えるものとする。
【００７１】
一方、ＬＴＣ制御専用操作端末５１、ＬＴＣ制御専用コントローラ６１のいずれかがたとえば故障するなど、不都合が生じた際は、制御子局３１がこれを検出し、操作場所を「直接」から「遠方」に自動で切り換えるものとする。
【００７２】
（効果）
ＬＴＣ制御専用操作端末５１、ＬＴＣ制御専用コントローラ６１を付加することにより、制御機器（ＬＴＣ付変圧器）４１の近傍で、機器の動作を目視しながら、タップ切換操作を行うことができる。その場合においても、種々の条件が揃わないと制御機器に対しての切換指令は出力されないため、連続操作によるＬＴＣ付変圧器故障のリスクを低減する事が可能となる。かつ、いずれかの装置に不都合が生じた場合においても、健全な装置を利用して運用を継続可能となる。
【００７３】
なお、制御機器に対しての切換指令を出力するかの判断（Ｓ３３〜Ｓ７３、Ｓ１１３、Ｓ１１４，Ｓ１２３、Ｓ１２４）を行う判断部３１３は、図５のように制御子局３１やＬＴＣ制御専用コントローラ６１にあってもよいし、ＬＴＣ制御専用操作端末５１や制御親局２１、操作監視端末１１のいずれかにあってもよい。
【００７４】
なお、本実施例は、制御親局と、複数または単一の制御子局が伝送で接続されたシステム構成全てに適用可能なもので、装置の台数や、伝送の種類に制約を受けるものではない。
【００７５】
（第３の実施形態）
（構成）
ＬＴＣタップ切換操作表示画面に、タップ操作が可能であるか否かを表示させるシステムをしめす。判断部３１３を含む配置図および機能構成は、第２の実施形態と同様である。
【００７６】
（作用）
図１１は、タップ切換操作可能表示のフローチャートである。
【００７７】
第２の実施形態のタップ切換操作のフローチャートである図１０と、タップ切換操作可能表示のフローチャートである図１１が異なる点は、Ｓ１１５、Ｓ１１６，Ｓ１２５，Ｓ１２６を付加した点であり、これら以外は第１の実施形態と同じであるので、同一ステップには同一符号を付して詳細な説明は省略する。
【００７８】
１系タップ切換操作を行ったとき、制御機器に対しての切換指令は出力されないすべての場合（Ｓ１１３でＮｏ、Ｓ１１４でＮｏ、Ｓ４１でＮｏ、Ｓ５１でＮｏ、Ｓ６１でＮｏ、Ｓ７１でＮｏ、Ｓ３３でＮｏ、Ｓ４３でＮｏ、Ｓ５３でＮｏ、Ｓ６３でＮｏ、Ｓ７３でＮｏ）、操作監視端末１１またはＬＴＣ制御専用操作端末５１の表示部に、１系ＬＴＣタップ操作禁止であることを表示させる（Ｓ１１５）。
【００７９】
一方、１系タップ切換操作を行ったとき、タップ切換動作が開始される場合（Ｓ７１でＹｅｓ、Ｓ７３でＹｅｓ）、操作監視端末１１またはＬＴＣ制御専用操作端末５１の表示部に、１系ＬＴＣタップ操作可能であることを表示させる（Ｓ１１６）。
【００８０】
同様に、２系タップ切換操作を行ったとき、制御機器に対しての切換指令は出力されないすべての場合（Ｓ１２３でＮｏ、Ｓ１２４でＮｏ、Ｓ４２でＮｏ、Ｓ５２でＮｏ、Ｓ６２でＮｏ、Ｓ７２でＮｏ、Ｓ３３でＮｏ、Ｓ４３でＮｏ、Ｓ５３でＮｏ、Ｓ６３でＮｏ、Ｓ７３でＮｏ）、操作監視端末１１またはＬＴＣ制御専用操作端末５１の表示部に、２系ＬＴＣタップ操作禁止であることを表示させる（Ｓ１２５）。
【００８１】
一方、２系タップ切換操作を行ったとき、タップ切換動作が開始される場合（Ｓ７２でＹｅｓ、Ｓ７３でＹｅｓ）、操作監視端末１１またはＬＴＣ制御専用操作端末５１の表示部に、２系ＬＴＣタップ操作可能であることを表示させる（Ｓ１２６）。
【００８２】
図１２は、１系ＬＴＣタップ切換操作表示画面を示した図である。一重かっこは表示を、二重かっこはスイッチを示している。
【００８３】
単独７１、１系並列主７２、２系並列主７３は、「単独」、「１系並列主」、「２系並列主」のモード切換を行う。モードとは、図６、図１０、図１１のフローチャートで示したＴＲ運転モード（Ｓ２１）で、あらかじめ選択しておくものである。
【００８４】
手動７４は、「自動」、「手動」のモードを表示する。図６、図１０、図１１のフローチャートで示した、１系制御モード手動（Ｓ４１でＹｅｓ、Ｓ４３でＹｅｓ）の場合、「手動」を表示する。この場合以外は「自動」を表示する。ただし、この表示機能は必ずしもシステムに必要なものではない。
【００８５】
遠方７５は、「遠方」、「直接」のモードを表示する。図１０、図１１のフローチャートで示した、１系タップ切換操作場所が遠方（Ｓ１１３でＹｅｓ）の場合、「遠方」を表示する。また、１系タップ切換操作場所が直接（Ｓ１１４でＹｅｓ）の場合、「直接」を表示する。ただし、この表示機能は必ずしもシステムに必要なものではない。
【００８６】
タップ一致７６は、１系変圧器と２系変圧器のタップが一致していることを示す。図６、図１０、図１１のフローチャートで示した、１系変圧器と２系変圧器のタップが一致しているとき（Ｓ３３でＹｅｓ）、「タップ一致」を表示する。ただし、この表示機能は必ずしもシステムに必要なものではない。
【００８７】
切換中７７は、１系ＬＴＣのタップが切換中のとき（Ｓ５１でＮｏ、Ｓ５３でＮｏ）に「切換中」を表示する。ただし、この表示機能は必ずしもシステムに必要なものではない。
【００８８】
「タップ昇圧―降圧操作」７８は、１系ＬＴＣタップの昇圧あるいは降圧操作を行うためのスイッチである。タップ操作可能７９の表示が出ている状態でのみ、このスイッチを押すと１系ＬＴＣタップの昇圧あるいは降圧の動作をさせる。
【００８９】
タップ操作可能７９は、「タップ操作可能」あるいは「タップ操作禁止」を表示する。１系ＬＴＣタップ操作が可能なとき（Ｓ７１でＹｅｓ、Ｓ７３でＹｅｓ）「タップ操作可能」が表示される。１系制御モードが自動（Ｓ４１でＮｏ）、タップ切換中（Ｓ５１でＮｏ）や渋滞発生中（Ｓ６１でＮｏ）、タップ切換直後（Ｓ７１でＮｏ）などのタップ操作が行えないとき、「タップ操作禁止」を表示する。
【００９０】
以上、１系ＬＴＣ操作表示画面について説明したが、２系ＬＴＣ操作表示画面も画面構成、表示内容ともに同様である。
【００９１】
（効果）
タップ操作禁止あるいはタップ操作可能を表示させることによって、ユーザがタップ操作を行える状況か否かを知ることができる。タップ操作禁止の表示が出ることで、ユーザに連続操作を行わせにくくさせ、連続操作によるＬＴＣ故障のリスクをより低減することが可能となる。
【００９２】
なお、第一、第二の実施形態に記載のように、タップ操作禁止の表示が出ているときに連続操作がなされたとしても、種々の条件が揃わないと制御機器に対しての切換指令は出力されないインタロックにより、連続したタップ切換操作は行えない仕組みである。
【００９３】
なお、タップ切換操作が行える状況であるか表示するために判断（Ｓ３３〜Ｓ７３、Ｓ１１３、Ｓ１１４，Ｓ１２３、Ｓ１２４）する判断部３１３は、図４、図９のように制御子局３１やＬＴＣ制御専用コントローラ６１にあってもよいし、ＬＴＣ制御専用操作端末５１や制御親局２１、操作監視端末１１のいずれかにあってもよい。
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
１  第１の実施形態に係る監視制御システム
２  第２の実施形態に係る監視制御システム
１１  操作監視端末
１１１  操作監視画面
１１２  表示部
１１３  操作部
１１６  第二の操作部
１１４  履歴保存・印字機能
２１  制御親局
２１２  信号処理・プロセス管理部
２１３  タップ切換回数積算部
３１  制御子局１
３１３  判断部
３１６  第二の判断部
３２  制御子局２
３３  制御子局３
４１  制御機器（ＬＴＣ付変圧器）
４１４  タップ切換動作部
４２  制御機器２
４３  制御機器３
５１  ＬＴＣ制御専用操作端末
６１  ＬＴＣ制御専用コントローラ
【図１】
0006543150.tif 000002
【図２】
0006543150.tif 000003
【図３】
0006543150.tif 000004
【図４】
0006543150.tif 000005
【図５】
0006543150.tif 000006
【図６】
0006543150.tif 000007
【図７】
0006543150.tif 000008
【図８】
0006543150.tif 000009
【図９】
0006543150.tif 000010
【図１０】
0006543150.tif 000011
【図１１】
0006543150.tif 000012
【図１２】
0006543150.tif 000013